(57)【要約】【課題】ＥＬパネルに筆記等することにより、暗い場所では発光により視認できるが、明るい場所では無色透明であるため視認できず、しかも発光強度が強いＥＬパネル用透明水性インキ組成物を提供する。【解決手段】少なくとも水とイオン性物質と高沸点水溶性有機溶剤とを含有し、無色透明であることを特徴とする。【選択図】  図１
2004277644.tif 000002
【特許請求の範囲】
【請求項１】
少なくとも水とイオン性物質と高沸点水溶性有機溶剤とを含有し、無色透明であることを特徴とするＥＬパネル用水性インキ組成物。
【請求項２】
少なくとも水及び塩化ラウリルトリメチルアンモニウムを含有し、無色透明であることを特徴とするＥＬパネル用水性インキ組成物。
【請求項３】
少なくとも水及び塩化カルシウムまたは塩化マグネシウムを含有し、無色透明であることを特徴とするＥＬパネル用透明水性インキ組成物。
【請求項４】
前記イオン性物質が、陰イオン性または陽イオン性または両性のいずれかの界面活性剤である請求項１記載のＥＬパネル用透明水性インキ組成物。
【請求項５】
前記高沸点水溶性有機溶剤が、グリセリン，エチレングリコール，ジエチレングリコール，プロピレングリコール，ポリエチレングリコール、トリエタノールアミンより選択された１種または２種以上を含有することを特徴とする請求項１または４記載のＥＬパネル用透明水性インキ組成物。
【発明の詳細な説明】
【０００１】
【発明の属する技術分野】
本発明は、ボールペン、マーキングペン等の筆記具用インキや、印刷インキ、及びインクジェットインキ等に使用され、特にエレクトロルミネッセンスパネル（ｅｌｅｃｔｒｏｌｕｍｉｎｅｓｃｅｎｃｅ  ｐａｎｅｌ；以降、単に「ＥＬパネル」と称する。）に筆記・印刷等するのに用いられる透明水性インキ組成物に関するものである。
【０００２】
【従来の技術】
これまで、描線が発光するインキとしては、蛍光増白剤を含有し描線に紫外線を照射することにより発光するインキ（例えば、特許文献１参照。）や、蓄光物質を含有し太陽光等を照射することにより発光を持続するインキ（例えば、特許文献２，３参照。）、等が知られていた。
しかし、蛍光増白剤を含有し紫外線で発光するインキは、紫外線を発光するのに大きな電力を消費するだけでなく簡単に持ち運ぶことが困難であるし、また、蓄光物質を含有するインキの発光は、励起状態から基底状態へ戻る際のリン光であるため明るい場所では発光を確認することができず、暗いところでも経時的に発光が弱くなってしまうので通常２４時間程度で目視で確認できないくらいになってしまう等の問題があった。
最近になって、その新たな手段として、特許文献４に記載されるようなＥＬパネルを用いた発光装置が提案された。このＥＬ発光装置は、局部可変シート状部材とその裏面全体に密接された導電性シートからなる裏面電極層が備えられており、その局部可変シート状部材を加圧、溶融などの物理的または溶剤等の溶解による化学的操作により所望の発光パターンを選択的に発光させられる仕組みになっている。従って、ユーザーが任意に描線を描いた部分を発光させることが可能であるが、通電しない状態では描線に色がないので描線が判り難く、書き換えが容易でなかった。
そこで、通常の市販されている水性マーキングペン等を用いてＥＬパネル表面に描線を描くことにより、水性インキの導電性程度でも描線が発光する特定の種類のＥＬパネルが提案されている。
しかし、通常の水性インキは着色されているため、明るい場所でも視認できてしまう。更に、通常の水性インキを用いてＥＬパネルに筆記等してＥＬパネルに通電した際、ＥＬパネル上の描線の発光が着色剤によって遮断されるため、発光強度が弱くなってしまうという問題点もあった。
【０００３】
【特許文献１】
特開平５−８６３６２号公報
【特許文献２】
特開平１１−２３６５２４号公報
【特許文献３】
特開２０００−１０９７４０号公報
【特許文献４】
特開２００２−３２９５８４号公報
【０００４】
【発明が解決しようとする課題】
本発明は上記問題点を解決するものであり、ＥＬパネルに筆記等することにより、通電すると発光により視認できるが、通電しないと無色透明であるため視認できず、しかも発光強度が強いＥＬパネル用透明水性インキ組成物を提供することを目的とする。
【０００５】
【課題を解決するための手段】
上述した目的を達成する本発明第１発明のＥＬパネル用透明水性インキ組成物は、少なくとも水とイオン性物質と高沸点水溶性有機溶剤とを必須成分として含有し、無色透明であることを特徴としたものである（請求項１）。
【０００６】
前記必須成分のうち、水にイオン性物質を添加することで導電性を有するようになり、ＥＬパネルに通電することで発光することができるようになる。
更に、高沸点水溶性有機溶剤をも添加することで水の揮発（蒸発）を遅らせ、長時間の発光を可能とするとともに、マーキングペン等における筆先の乾燥を防止することが可能となる。
そして、無色透明であることにより、該インキ組成物を用いた水性マーキングペン等でＥＬパネルに筆記等した場合は、ＥＬパネルに通電すれば暗い状態でもその描線を視認することができるが、ＥＬパネルを非通電状態にしておけば、明るい状態ではその描線を視認することはできない。
【０００７】
また、本発明の目的を達成する第２発明に係るＥＬパネル用透明水性インキ組成物は、少なくとも水と着色剤と塩化ラウリルトリメチルアンモニウムとを必須成分として含有し、無色透明であることを特徴とする。
塩化ラウリルトリメチルアンモニウムはイオン性物質であるが、水に塩化ラウリルトリメチルアンモニウムを添加した場合は、高沸点水溶性有機溶剤を添加しなくても、これを用いたマーキングペン等でＥＬパネルの表面に筆記等すると、描かれた描線が高い発光強度を維持しつつ発光の持続時間を充分に長くできることが本発明に係る研究により新たに見出された。
【０００８】
更に、本発明の目的を達成する第３発明に係るＥＬパネル用透明水性インキ組成物は、少なくとも水と塩化カルシウムまたは塩化マグネシウムとを必須成分として含有し、無色透明であることを特徴としたものである（請求項３）。
この場合も、高沸点水溶性有機溶剤を添加しなくても、これを用いたマーキングペン等でＥＬパネルに筆記等すると、描かれた描線が高い発光強度を維持しつつ発光の持続時間を充分に長くできることが、本発明に係る研究により新たに見出された。
塩化カルシウム（臨海湿度  約３０％（２５度））及び塩化マグネシウム（臨界湿度  約３５％（２５度））は潮解性を有し臨界湿度が低いため、通常の湿度であれば空気中の水分を吸収してべとべとした状態となり、水分を保持した塩化カルシウムや塩化マグネシウムが電離し導電性を有するため描線の発光状態を持続できる。ちなみに、塩化カルシウムまたは塩化マグネシウム以外にも、臨界湿度が比較的低いものは同様の効果を期待することができる。
【０００９】
また、本発明に用いられる前記イオン性物質としては、非イオン性を除いた、即ち陰イオン性または陽イオン性または両性のいずれかの界面活性剤であることが好ましい（請求項４）。
界面活性剤は一般的に、湿潤剤、浸透剤、起泡剤、消泡剤、乳化剤、分散剤、可溶化剤、洗浄剤、潤滑剤、帯電防止剤、防錆剤、疎水化剤、殺菌剤、凝集剤などとしての作用効果があることが知られており、界面活性剤が本願発明における作用効果を発現する理由としては、帯電防止剤としての作用効果に基づくものと考えられる。帯電防止効果とは、非導電性表面に蓄積しやすい電子（静電気）を、帯電防止剤が形成する表面伝導層が表面の電気抵抗を低下させ、それにより拡散可能な表面積が増加し、表面電荷が減少することによって表面の帯電が緩和されることに起因している。すなわち、界面活性剤が帯電防止効果を発現する理由としては、▲１▼界面活性剤がイオン性を有し、▲２▼イオン性の界面活性剤は、その分子分極によって、分極の強い水を引きつけ吸湿性を有することによって電離状態になり、表面の導電性が発現するものと思われる。
この様に、イオン性を有する界面活性剤は水溶液中で電離してイオンとなるため、インキの導電性が高くなりＥＬパネルの表面に描いた描線の発光が良好なものとなるが、非イオン性の界面活性剤ではインキ中で電離せず導電性が得られないため、ＥＬパネル上の描線は発光しない。
さらに界面活性剤を使用したインキでは、ＥＬパネル面と描線との間の界面張力が減少し、ＥＬパネル表面に対する描線の濡れ性が向上するので、ＥＬパネル面が描線を弾くようなことがなく、容易に筆記が可能となる利点もある。
なお、本発明に係る第２発明の構成要件である塩化ラウリルトリメチルアンモニウムは、いわゆる陽イオン性界面活性剤に分類される物質で、塩化物イオンとの電気陰性度の差が大きいため、分子分極が大きくなり、そのために分極した水分子を引きつける能力が強いため、水溶性有機溶剤を添加する必要もなく、所望の性能を出現したものと考えられる。
【００１０】
更に、本発明に用いられる前記高沸点水溶性有機溶剤としては、グリセリン，エチレングリコール，ジエチレングリコール，プロピレングリコール，ポリエチレングリコール，トリエタノールアミンより選択された１種または２種以上を含有したものであることが好ましい（請求項５）。
これらの高沸点水溶性有機溶剤は、ある程度の吸湿性を有するため、蒸発し難い上に大気中の水分を吸収することもでき、その結果、これらの高沸点水溶性有機溶剤を添加したインキ組成物を用いたマーキングペン等で描いた描線は、より長時間発光することが可能となる。
【００１１】
【発明の実施の形態】
以下、本発明の好ましい実施の態様を詳細に説明する。
始めに、本発明に使用するＥＬパネルの基本的な構造、及び発光の原理について説明する。
図１は本発明に用いるＥＬパネルの断面構造を示し、図２はＥＬパネルにおける電極の平面構造を示す。
【００１２】
図中の符号１は発光層を、２は絶縁層を、３は電極を、そして４は絶縁性基材フィルムをそれぞれ示す。
ＥＬパネルＡは、銅やアルミニウム等の導線性材料を用いて略櫛歯形（例えば、電極幅０．３〜０．５ｍｍ、スリット幅０．１〜０．２ｍｍ）に形成された第１電極３ａと第２電極３ｂの２つの電極を、互いに櫛歯が交互となるように電気的に分離してＰＥＴ（ポリエチレンテレフタレート）やポリイミド等からなる絶縁性基材フィルム４上に配置させ、その上面にチタン酸バリウム等の無機粒子を含む絶縁体層２とフッ素系バインダーを含む蛍光体発光層１を積層させて構成されている。
そして、第１電極３ａおよび第２電極３ｂの電極端子３ａ’，３ｂ’に所定の交流電圧（１５０Ｖ程度）を印加すると、両電極間３ａ，３ｂにある蛍光体が暗所で目視できる程度にわずかに発光する。この際、ＥＬパネルＡの表面、すなわち発光層１の表面に導電性のあるインキ５を塗布すると、発光層１にある蛍光体に電界がかかり、描線下部の蛍光体発光層１が発光するため描画させたインキ５が光っているように見えるものである。
【００１３】
本発明に係るＥＬパネル用インキ組成物は、基本的に、少なくとも水とイオン性物質と高沸点水溶性有機溶剤とを必須成分として含有する。
このうち、本発明に係る水は、脱イオンされたイオン交換水であることが好ましい。脱イオンされていない水は、例えば金属陽イオンやハロゲン陰イオン等の溶存イオンを含んでおり、これらの溶存イオンと本発明のＥＬパネル用インキ組成物の別の必須成分であるイオン性物質との作用により析出物が生成すると、インキ詰まり等の原因になるからである。
【００１４】
また、本明細書でいうイオン性物質とは、概して水に溶けてイオン化する物質をいう。従って、具体的には、塩化カルシウム、塩化カリウム等の金属塩、塩化ラウリルトリメチルアンモニウム、塩化セチルトリメチルアンモニウム等のアンモニウム塩であってもよい。
【００１５】
本発明に係るイオン性物質としては、陰イオン性または陽イオン性または両性のいずれかの界面活性剤であることが好ましい。非イオン性の界面活性剤は、イオン性を有しないため、ＥＬパネル用インキ組成物に使用しても発光の効果がほとんどない。ここで本明細書でいう界面活性剤とは、液体の表面張力、若しくは液−液間又は液−固間の界面張力を減少させる物質であって、分子内に親水基と親油基（疎水基）とを有する物質をいう。この中で陰イオン性界面活性剤としては、大きく分類してカルボン酸塩、アルキルスルホン酸塩、硫酸エステル塩、リン酸エステル塩等があり、具体的には石けん、Ｎ−アシルアミノスルホン酸塩、アルキルエーテルカルボン酸塩、アルキルスルホン酸塩、アルキルエーテルナフタレンスルホン酸塩、スルホコハク酸塩、Ｎ−アシルスルホン酸塩、アルキル硫酸塩、アルキルアミド硫酸塩、アルキルリン酸塩、アルキルエーテルリン酸塩、ポリオキシエチレンアルキルアリルエーテルリン酸塩などがある。より具体的にはドデシルベンゼンスルホン酸ナトリウムナトリウム、オレイン酸カリウム、ヤシ脂肪酸カリウム、ジアルキルスルホコハク酸ナトリウム、アルキルナフタレンスルホン酸ナトリウム等がある。
また、陽イオン性界面活性剤としては、アルキルアミン塩、第四級アンモニウム塩、芳香族四級アンモニウム塩、複素環四級アンモニウム塩等があり、具体的にはジステアリルジメチルアンモニウムクロライド、アルキルベンジルジメチルアンモニウムクロライド等がある。
更に、両性界面活性剤としては、カルボキシベタイン、スルホベタイン、アミノカルボン酸塩、イミダゾリン誘導体、アルキルアミンオキサイドなどがあり、具体的には、ラウリルベタイン、ステアリルベタイン、ラウリン酸アミドプロピルヒドロキシスルホベタイン、ラウリルアミノ酸酢酸ベタイン、ラウリルジメテルアミンオキサイド等が挙げられる。
【００１６】
前記界面活性剤は、本発明の水性インキ組成物中に５〜３０重量％含有されることが好ましい。５重量％より少ないと界面活性剤による発光の効果や濡れ性向上の効果が極めて小さくなってしまい、３０重量％より多いとインキ組成物が増粘してしまい、筆記具用等のインキ組成物として適さなくなってしまう。
【００１７】
また、本明細書でいう高沸点水溶性有機溶剤とは、概ね沸点が水の沸点である１００℃より高温であって、水９０重量部に対して１０重量部以上可溶なものをいう。具体的には、例えばグリセリン，エチレングリコール，ジエチレングリコール，プロピレングリコール，ポリエチレングリコール，トリエタノールアミンなどがあり、それらの１種または２種以上を混合して使用することができる。
【００１８】
前記高沸点水溶性有機溶剤は、本発明の水性インキ組成物中に１０〜４０重量％の範囲で含有されることが好ましい。１０重量％より少ないと高沸点水溶性有機溶剤の効果をほとんど発揮しえなくなり、４０重量％より多いとインキ組成物が増粘してしまい、筆記具用等のインキ組成物として適さなくなってしまう上に、当該高沸点水溶性有機溶剤がパネル表面に塗布されたコーティングを溶かしてしまうおそれが生じる。
【００１９】
ただし、前記イオン性物質が塩化カルシウムまたは塩化マグネシウムまたは塩化ラウリルトリメチルアンモニウムである場合には、本発明の水性インキ組成物中に前記高沸点水溶性有機溶剤を添加しなくても、該水性インキ組成物を用いて描かれた描線は高い発光強度を維持しつつ、発光の持続時間を充分に長くすることができる。
【００２０】
なお、本発明に係るＥＬパネル用透明インキ組成物は、顔料、染料等の着色剤を含有しないので、ＥＬパネルに通電していない時は無色透明であり、ＥＬパネルに通電した時に描線下部のＥＬ発光体が発光してＥＬ発光体の呈する色を有するものである。
着色剤以外の添加剤等、特に界面活性剤には淡黄色から褐色を呈するものがあり、それらを用いることによりインキに若干色が付いていても描線が目視できない程度であれば目的を達することが出来るので、ここで透明とは、描線が目視できない程度をいう。
【００２１】
その他に、本発明に係る水性インキ組成物には、インキ材料として通常用いられる防腐剤、防錆剤、分散樹脂、乾燥抑制剤、ｐＨ調整剤、固着樹脂、粘度調整剤等の添加剤を必要に応じて用いることができる。
【００２２】
【実施例】
次に、本発明を具体的な実施例により更に詳細に説明する。
＜実施例１＞
【表１】
2004277644.tif 000003
上記インキ原料を撹拌機を用いて撹拌混合し、透明水性インキ組成物を得た。得られたインキ組成物を、市販されている中綿水性マーキングペン（蛍光オプテックス１、ゼブラ社製、商品名）と同様にポリエステル繊維束中綿に充填した後、軸筒に装填し、ポリエステルペン先（テイボー社製）とキャップを装着して透明水性マーキングペンを作成した。
【００２３】
＜実施例２＞
【表２】
2004277644.tif 000004
上記インキ原料を撹拌機を用いて撹拌混合し、透明水性インキ組成物を得た。得られたインキ組成物を、市販されている直液式水性マーキングペン（蛍光スパーキー１、ゼブラ社製、商品名）と同様にインキタンクに充填した後、バルブ組み込み済み先端カバーを装着し、ポリエステルペン先（テイボー社製）とキャップを装着して透明水性マーキングペンを作成した。
【００２４】
＜実施例３＞
【表３】
2004277644.tif 000005
上記インキ原料を撹拌機を用いて撹拌混合し、透明水性インキ組成物を得た。得られたインキ組成物を濾紙で濾過した後、ピエゾ素子を使用したインクジェットプリンター（セイコーエプソン社製、ＰＭ−７００Ｃ、商品名）のインキとして、インクタンクに充填し、インクジェットプリンター用透明インクカートリッジを作成した。
【００２５】
＜実施例４＞
【表４】
2004277644.tif 000006
上記インキ原料を撹拌機を用いて撹拌混合し、透明水性インキ組成物を得た。得られたインキ組成物を用いて通常の凸版印刷機でＥＬパネルに印刷を行った。
【００２６】
＜実施例５＞
【表５】
2004277644.tif 000007
上記インキ原料を撹拌機を用いて撹拌混合し、透明水性インキ組成物を得た。得られたインキ組成物を、市販されている中綿水性マーキングペン（蛍光オプテックス１、ゼブラ社製、商品名）と同様にポリエステル繊維束中綿に充填した後、軸筒に装填し、ポリエステルペン先（テイボー社製）とキャップを装着して透明水性マーキングペンを作成した。
【００２７】
＜実施例６＞
【表６】
2004277644.tif 000008
上記インキ原料を撹拌機を用いて撹拌混合し、透明水性インキ組成物を得た。得られたインキ組成物を、市販されている中綿水性マーキングペン（蛍光オプテックス１、ゼブラ社製、商品名）と同様にポリエステル繊維束中綿に充填した後、軸筒に装填し、ポリエステルペン先（テイボー社製）とキャップを装着して透明水性マーキングペンを作成した。
【００２８】
＜実施例７＞
【表７】
2004277644.tif 000009
上記インキ原料を撹拌機を用いて撹拌混合し、透明水性インキ組成物を得た。得られたインキ組成物を、市販されている中綿水性マーキングペン（蛍光オプテックス１、ゼブラ社製、商品名）と同様にポリエステル繊維束中綿に充填した後、軸筒に装填し、ポリエステルペン先（テイボー社製）とキャップを装着して透明水性マーキングペンを作成した。
【００２９】
＜比較例１＞
【表８】
2004277644.tif 000010
イオン性物質を含まない上記インキ原料を撹拌機を用いて撹拌混合し、透明水性インキ組成物を得た。得られたインキ組成物を濾紙で濾過した後、ピエゾ素子を使用したインクジェットプリンター（セイコーエプソン社製、ＰＭ−７００Ｃ、商品名）のインキとして、インクタンクに充填し、インクジェットプリンター用透明インクカートリッジを作成した。
【００３０】
＜比較例２＞
【表９】
2004277644.tif 000011
高沸点水溶性有機溶剤を含まない上記インキ原料を撹拌機を用いて撹拌混合し、透明水性インキ組成物を得た。得られたインキ組成物を、市販されている中綿水性マーキングペン（蛍光オプテックス１、ゼブラ社製、商品名）と同様にポリエステル繊維束中綿に充填した後、軸筒に装填し、ポリエステルペン先（テイボー社製）とキャップを装着して透明水性マーキングペンを作成した。
【００３１】
＜比較例３＞
【表１０】
2004277644.tif 000012
上記インキ原料を撹拌機を用いて撹拌混合し、青色水性インキ組成物を得た。得られたインキ組成物を、市販されている中綿水性マーキングペン（蛍光オプテックス１、ゼブラ社製、商品名）と同様にポリエステル繊維束中綿に充填した後、軸筒に装填し、ポリエステルペン先（テイボー社製）とキャップを装着して透明水性マーキングペンを作成した。
【００３２】
＜比較例４＞
【表１１】
2004277644.tif 000013
非イオン性の界面活性剤を用いた上記インキ原料を撹拌機を用いて撹拌混合し、透明水性インキ組成物を得た。得られたインキ組成物を、市販されている中綿水性マーキングペン（蛍光オプテックス１、ゼブラ社製、商品名）と同様にポリエステル繊維束中綿に充填した後、軸筒に装填し、ポリエステルペン先（テイボー社製）とキャップを装着して透明水性マーキングペンを作成した。
【００３３】
（試験方法）
上記実施例及び比較例で作成した透明水性マーキングペン（実施例１，２，５〜７，比較例２〜４）または透明水性インクカートリッジ（実施例３，比較例１）により、若しくは透明水性インキ組成物を用いて凸版印刷機により（実施例４）、ＥＬパネル（日本電子ライト株式会社製  青色発光無機ＥＬパネル）に手書き筆記または印刷した後、ＥＬパネルに通電し描線の発光状態及び持続時間を確認した。
【００３４】
（評価結果）
【表１２】
2004277644.tif 000014
発光状態の説明
◎    ：強い発光状態を持続
○    ：徐々に弱くなったが発光状態を持続
×    ：描線が１分以内に発光しなくなった
−    ：発光時間の確認できず
【００３５】
上記の評価結果から理解されるように、比較例１はイオン性物質を、また比較例３は塩化ラウリルトリメチルアンモニウムまたは塩化カルシウムまたは塩化マグネシウムを含まないため、ＥＬパネルの描線がすぐに発光しなくなった。また、比較例２は高沸点水溶性有機溶剤を含まないため描線の水分の揮発と共に描線が発光しなくなり、比較例４は界面活性剤がイオン性を有していないため、ＥＬパネルの描線がすぐに発光しなくなった。対して、実施例１〜７はＥＬパネルの描線の発光状態や時間に違いは見られるものの長時間の発光持続性が認められ、本発明の効果が実証された。
【００３６】
【発明の効果】
以上説明したとおり、本発明の第１発明に係るＥＬパネル用透明水性インキ組成物（請求項１）は、少なくとも水とイオン性物質及び高沸点水溶性有機溶剤を含有し、無色透明であるので、これを用いたマーキングペン等でＥＬパネルの表面に筆記等すると、その描線はＥＬパネルに通電していない状態では無色透明だが、ＥＬパネルに通電することで発光して色を呈するようになる。
しかも、描かれた描線は高い発光強度を維持しつつ発光の持続時間を充分に長くすることができる。
【００３７】
これを利用すれば、例えば、ＥＬパネルを暗所でも筆記等可能なホワイトボード兼映写スクリーンとして用いることが可能となる。即ち、ＥＬパネルを暗所でも筆記等可能なホワイトボードとして利用したい場合は、ＥＬパネルに通電した状態で、本発明に係る透明水性インキ組成物を用いたマーキングペンで筆記等すれば、暗所でも発光により描線を視認できるので、暗い状態のままで筆記等をすることができる。そして、ＥＬパネルを映写スクリーンとして利用したい場合には、たとえ描線が残った状態であっても、ＥＬパネルの通電を止めさえすれば描線は無色透明となって視認できないので、通常の無地の映写スクリーンとして利用可能となる。そして、再び描線を見たい場合でも、描線は長時間発光することができるので、ＥＬパネルに通電しさえすれば、描線を再度視認することが可能となる。
【００３８】
また、本発明の第２、第３発明に係るＥＬパネル用水性インキ組成物（請求項２，３）は、塩化ラウリルトリメチルアンモニウムまたは塩化カルシウムまたは塩化マグネシウムを含有することで、これを用いたマーキングペン等でＥＬパネルの表面に筆記等すると、高沸点水溶性有機溶剤を含有しなくても高い発光強度を維持しつつ発光持続時間を長くすることができる。
【００３９】
更に、請求項４記載の発明に係るＥＬパネル用水性インキ組成物によれば、イオン性物質として界面活性剤を添加することで、これを用いたマーキングペン等でＥＬパネルの表面に筆記等すると、ＥＬパネル表面で描線が弾かれることなく容易に筆記または印刷が可能となるので、ＥＬパネル上で筆記または描線の膜厚が均一となり良好な発光状態が得られる。
【００４０】
また、請求項５記載の発明に係るＥＬパネル用水性インキ組成物によれば、高沸点水溶性有機溶剤を、グリセリン、エチレングリコール、ジエチレングリコール、プロピレングリコール、ポリエチレングリコール、トリエタノールアミンより選択した１種または２種以上とすることで、発光時間を更に長くすることができる。
【図面の簡単な説明】
【図１】本発明に用いるＥＬパネルの模式断面図。
【図２】ＥＬパネルに組み込まれている電極の平面構造を説明する図。
【符号の説明】
１………発光層                  ２………絶縁層
３ａ……第１電極              ３ａ’……第１電極端子
３ｂ……第２電極              ３ｂ’……第２電極端子
４………基材フィルム            ５………インキ
【図１】
2004277644.tif 000015
【図２】
2004277644.tif 000016